(57)【要約】【課題】  自己故障診断機能時において、各種コードを、ユーザに対して目視で直接認識させることができる指針式表示装置を提供する。【解決手段】  各指針３の表示位置の組み合わせにより、例えば、インジケータチェック中であるという自己故障診断機能の状態コードの表示を行う。すなわち、エアコンシステムを制御する空調制御部がインジケータを点滅させる場合、エアコンパネルの制御部に対して、すべての指針３を、インジケータチェック中を示す位置とする旨の駆動信号を出力させるようにする。これにより、例えば、各表示器１１ａ、１１ｂ、１１ｃのすべての指針３を、ゼロ点の位置から、ＭＡＸの位置に移動させることで、インジケータチェック中であることを、ユーザに目視で直接認識させることができる。【選択図】        図１０
2006232128.tif 000002
【特許請求の範囲】
【請求項１】
操作対象の操作動作内容を表示する表示部（２、４）が複数配置された文字盤（１）と、
前記複数の表示部（２、４）のいずれか１つを指すように駆動される指針部（３）と、
前記指針部（３）を駆動する駆動部（２６）と、
前記指針部（３）が所望の前記表示部（２、４）を指すように前記駆動部（２６）を作動させ、かつ、ユーザが前記操作対象を操作するための操作部（１２）と、
前記駆動部（２６）の作動を制御する指針制御部（５１、５２、５３）とを備える指針式表示装置において、
前記操作対象の作動を制御するとともに、前記操作対象の自己故障診断を行う操作対象制御部（５８）を有し、
前記操作対象制御部（５８）が前記自己故障診断を行う場合、前記指針部（３）の指示位置が、前記自己故障診断に関する各種コードに対応する前記表示部（２、４）の位置となるように、前記指針制御部（５１、５２、５３）に制御指示信号を出力するようになっていることを特徴とする指針式表示装置。
【請求項２】
前記文字盤（１）および前記文字盤（１）に対応する前記指針部（３）とを一組とした場合、複数組の前記文字盤（１）および前記指針部（３）を有し、
前記指針部（３）の指示位置の組み合わせにより、前記自己故障診断に関する各種コードを表示するようになっていることを特徴とする請求項１に記載の指針式表示装置。
【請求項３】
インジケータ（１３）を有しており、前記インジケータ（１３）を点灯させることで、前記インジケータを点灯させる照明装置の故障の有無をチェックする場合では、
前記指針制御部（５１、５２、５３）は、前記指針部（３）のすべての指示位置を、前記複数の表示部（２、４）のうちの一端側に位置する前記表示部（２、４）の位置とする制御を行うことを特徴とする請求項２に記載の指針式表示装置。
【請求項４】
前記操作部（１２）は、その内側が開口したリング形状であって、回転可能となっており、
前記操作部（１２）の前記内側に、前記文字盤（１）、前記複数の表示部（２、４）、前記指針部（３）が配置されていることを特徴とする請求項１ないし３のいずれか１つに記載の指針式表示装置。
【発明の詳細な説明】
【技術分野】
【０００１】
本発明は、指針式表示装置に関するものである。
【背景技術】
【０００２】
従来、表示装置として、例えば、自動車用空調装置の操作パネル（以下、エアコンパネルと呼ぶ）があり、エアコンパネルとして、例えば、設定温度をセグメントにより数字で表示するものがある。
【０００３】
そして、このようなエアコンパネルでは、自動車用空調装置が有するダイアグノーシス（自己故障診断）機能時では、故障コードやアクチュエータ出力状態コード等の各種コードの表示を、セグメントを用いて、「０１」、「２２」等の数字で表示していた。
【０００４】
なお、自己故障診断機能とは、エアコンシステムのＥＣＵは、例えば、各種センサからの入力信号により、エアコンシステムが正常に作動しているか常にチェックし、ＥＣＵの信号系統に異常が起きたときに、その系統を記憶しておくことで、容易に故障診断を可能にしたものである。
【０００５】
一方、従来、他の表示装置として、指針式表示装置がある。これは、スピードメータ等のアナログメータと同様に、指針を用いて、設定温度等を表示するものである（例えば、特許文献１参照）。
【特許文献１】特開２００２−７１３８９号公報
【発明の開示】
【発明が解決しようとする課題】
【０００６】
上記した指針式表示装置では、表示セグメントを有していない場合、自己故障診断機能時に、各種コードを数字で表示できず、各種コードをユーザに目視で認識させることができなかった。このため、ユーザが自己故障診断機能を使えない、もしくは、ユーザが各種コードを直接認識できないという問題があった。
【０００７】
本発明は、上記点に鑑み、自己故障診断機能時において、各種コードを、ユーザに対して目視で直接認識させることができる指針式表示装置を提供することを目的とする。
【課題を解決するための手段】
【０００８】
上記目的を達成するため、請求項１に記載の発明では、操作対象の作動を制御するとともに、操作対象の自己故障診断を行う操作対象制御部（５８）を有し、操作対象制御部（５８）が自己故障診断を行う場合、指針部（３）の指示位置が、自己故障診断に関する各種コードに対応する表示部（２、４）の位置となるように、指針制御部（５１、５２、５３）に制御指示信号を出力するようになっていることを特徴としている。
【０００９】
このように、本発明では、各指針部の指示位置により、自己故障診断の各種コードの表示を行うようにしている。これにより、自己故障診断機能時において、各種コードを、ユーザに対して目視で直接認識させることができる。
【００１０】
各種コードの表示方法としては、文字盤とそれに対応する指針部とを一組として、指針式表示装置が有する文字盤および指針部が一組の場合では、１つの指針部の指示位置のみで、各種コードを表示することができる。
【００１１】
また、請求項２に示すように、文字盤（１）および指針部（３）が複数組の場合では、複数の指針部（３）の指示位置の組み合わせで、各種コードを表示することもできる。この場合、複数の指針部の向きを同じ、もしくは、異ならせることで、多くの種類のコードを表示することができる。
【００１２】
例えば、請求項３に示すように、インジケータ（１３）を点灯させることで、インジケータを点灯させる照明装置の故障の有無をチェックする場合では、指針制御部（５１、５２、５３）に、指針部（３）のすべての指示位置を、複数の表示部（２、４）のうちの一端側に位置する表示部（２、４）の位置とする制御を行わせることができる。
【００１３】
また、例えば、請求項４に示すように、操作部（１２）は、その内側が開口したリング形状であって、回転可能となっており、操作部（１２）の内側に、文字盤（１）、複数の表示部（２、４）、指針部（３）を配置することができる。
【００１４】
なお、上記各手段の括弧内の符号は、後述する実施形態に記載の具体的手段との対応関係を示す一例である。
【発明を実施するための最良の形態】
【００１５】
（第１実施形態）
本実施形態では、指針式表示装置を車両のエアコンパネルに適用した場合を例として説明する。したがって、本実施形態では、カーエアコンが本発明の操作対象に相当する。図１に、本発明の第１実施形態における指針式表示装置の正面図を示す。
【００１６】
本実施形態の指針式表示装置は、表示器１１とダイアルノブ１２の配置が従来の指針式表示装置と異なるものであるが、基本的な構成は、従来の指針式表示装置と同じである。また、本実施形態の指針式表示装置は、ダイアグノーシス（自己故障診断）機能時における各種コードの表示の仕方が従来の表示装置と異なっている。
【００１７】
図１に示すように、本実施形態の指針式表示装置は、３つの表示器１１と、３つの操作部としてのベゼルダイアルノブ１２と、４つの操作ボタン１３と、カバー１４とを有している。なお、以下では、ベゼルダイアルノブ１２をベゼル１２と呼ぶ。
【００１８】
ベゼル１２は内側が開口したリング形状である。なお、本実施形態では、後述するが、スモークレンズ２１がベゼル１２の内側に配置されている。このため、ベゼル１２の内側は、実際には開口していないが、スモークレンズ２１が透明であるため、ベゼル１２の内側が開口しているように視認される。
【００１９】
そして、各ベゼル１２の内側に、１つずつ表示器１１が配置されている。言い換えると、表示器１１の外周にベゼル１２が配置されている。したがって、本実施形態では、表示器１１とベゼル１２とが一体化している。
【００２０】
このように、表示器１１とベゼル１２とを一体化させることで、ユーザに対して、あたかも、表示器１１に表示されている操作動作内容を操作する操作スイッチが存在しないように見せることができる。これにより、エアコンパネルの外観をすっきりさせることができ、外観が煩雑であることによるユーザの操作の混乱を抑制することができる。
【００２１】
なお、このように配置された１つの表示器１１と１つのベゼル１２とを一組として、３組の表示器およびベゼル１２が、独立して、３つ存在している。
【００２２】
３つの表示器１１は、カーエアコンに関連する内容を表示するものである。３つの表示器１１は、文字盤１と、指針部としての指針３とを有している。文字盤１には、文字やイラスト２や目盛り４が円弧状に配置されている。文字やイラスト２や目盛り４が本発明の表示部に相当する
具体的には、図１中の左側に位置する表示器１１ａは、送風ファン速度に関連する情報を表示するものであり、文字盤１に「ＯＦＦ」、「ＬＯ」、「１」、「２」、「ＨＩ」の文字２や、目盛り４が示されている。
【００２３】
図１中の中央に位置する表示器１１ｂは、吹き出しモードに関連する情報を表示するものであり、文字盤１に、「足元吹き出し」、「バイレベル吹き出し」、「頭部吹き出し」、「足元＋デフォッガ吹き出し」、「デフォッガ吹き出し」のイラスト２や目盛り４が示されている。
【００２４】
図１中の右側に位置する表示器１１ｃは、温度に関連する情報を表示するものであり、文字盤１に、温度を表す数字２や目盛り４が示されている。
【００２５】
ベゼル１２は、いわゆるダイアルスイッチの一部であり、ベゼル１２の中央を中心として、ベゼル１２の外周方向に沿って、その場で回転するようになっている。また、ベゼル１２は、文字盤１と独立して回転するようになっている。ベゼル１２がユーザによって操作されることにより、指針３が所望の文字やマーク２を指し、かつ、カーエアコンが所望の操作動作を実行する。
【００２６】
図２に、ベゼル１２の動きと指針３の動きとを説明するための図を示す。図２は、図１に対応する図であるが、操作ボタン１３を省略している。ベゼル１２は、図２中の実線の矢印で示すように、文字盤１に対して時計回りや、図２中の破線の矢印で示すように、反時計回りのどちらの方向にも回転可能となっている。
【００２７】
また、ベゼル１２は、例えば、６０°ずつ回転するようになっている。すなわち、ベゼル１２は、図２に示すように、文字盤１の外周部に示された小さな円と、ベゼル１２に示された小さな円とが一致する位置で止まるようになっている。なお、これらの小さな円は、ここでの説明のために、図２中に便宜上示したものである。
【００２８】
そして、送風ファン速度を表示する表示器１１ａと吹き出しモードを表示する表示器１１ｂでは、ベゼル１２が６０°回転する毎に、指針３が、例えば６０°ずつ移動するようになっている。一方、温度を表示する表示器１１ｃでは、ベゼル１２が６０°回転する毎に、指針３が一目盛りずつ移動するようになっている。
【００２９】
このように、ベゼル１２と指針３の回転角度を同じ設定にしたり、異なる設定にしたりすることができる。なお、ベゼル１２の回転角度は、任意に設定可能である。
【００３０】
また、ベゼル１２によってカーエアコンが操作される場合では、例えば、送風ファン速度を表示する表示器１１ａでは、設定が５段階であり、指針３は、「ＯＦＦ」、「ＬＯ」、「１」、「２」、「ＨＩ」のいずれか１つを指し示す。これに対して、カーエアコンが自動で制御されている場合では、設定が５段階以上あり、「ＯＦＦ」から「ＨＩ」の間のいずれかの部分を、指し示すようになっている。
【００３１】
また、図１に示すように、操作ボタン１３は、隣り合うベゼル１２同士の間に配置されている。操作ボタン１３は、カーエアコン設定用の操作ボタン（Ａ／Ｃボタン）１３ａ、自動送風設定用の操作ボタン（ＡＵＴＯボタン）１３ｂ、デフォッガの操作ボタン（リヤＤＥＦボタン）１３ｃ、エアー循環モード設定用の操作ボタン（内外気ボタン）１３ｄである。そして、カバー１４によって、表示器１１、ベゼル１２、操作ボタン１３を除く領域が覆われている。
【００３２】
次に、指針式表示装置の機械的構成（内部構造）を説明する。図３、４、５に、それぞれ、図１中のＡ−Ａ線断面図、Ｂ−Ｂ線断面図、Ｃ−Ｃ線断面図を示す。図３、４では図中上側が、図５では図中左側が、指針式表示装置の前面側である。前面とはユーザに視認される面をいう。
【００３３】
本実施形態の指針式表示装置は、図３、５に示すように、ベゼル１２の内側において、指針式表示装置の前面側から、スモークレンズ２１、文字盤１、導光レンズ２２、指針３が順に配置されている。
【００３４】
文字盤１は導光レンズ２２と一体に成形されており、透明なアクリル樹脂からなる。文字盤１には文字やマーク２、目盛り４が透光性着色層として印刷されている。文字盤１のうち、これら透光性着色層を除く領域は透明とされている。このため、文字盤照明用ＬＥＤ２４および後述する指針照明用ＬＥＤ２８が点灯すると、文字盤１を通して、文字やマーク２、目盛り４、ならびに指針３が重畳した状態でこれらを視認できるようにされている。
また、導光レンズ２２も含めて文字盤１は、円形状となっている。これは、文字盤１が、筒状であるベゼル１２の内部に配置されているためである。
【００３５】
また、文字盤１は、ベゼル１２と別体であり、文字盤用ハウジング２３に固定されている。このように、文字盤１は、文字盤用ハウジング２３に固定されているため、ベゼル１２が回転しても、文字盤１は回転しない。
【００３６】
導光レンズ２２は、図５に示すように、文字盤照明用ＬＥＤ２４の光を文字盤１に導くものである。この導光レンズ２２、照明装置としての文字盤照明用ＬＥＤ２４により、文字盤１が照明されるようになっている。
【００３７】
文字盤照明用ＬＥＤ２４は、図４、５に示すように、第１の回路基板２５上に設けられている。第１の回路基板２５は、文字盤用ハウジング２３に固定されている。第１の回路基板２５には、図示しないが、照明用制御部としてのＩＣチップが設けられている。なお、文字盤照明用ＬＥＤ２４は、図５に示すように、指針３の下側に配置されている。
【００３８】
指針３は、透明なアクリル樹脂から構成されており、その先端からステップモータ２６との接続部の略全長に渡って透光性着色層が形成され、この着色層を除く領域は遮光層が形成されており、後述する指針照明用ＬＥＤ２８が点灯すると、この着色層が発光するようにされている。
【００３９】
指針３は、駆動部としてのステッパモータ２６の回転軸２６ａと接続されている。ステッパモータ２６により、指針３が駆動するようになっている。ステッパモータ２６は、ステッパモータ用の第２の回路基板２７上に設けられている。また、第２の回路基板２７には、図示しないが、駆動制御部としてのＩＣチップが設けられている。
【００４０】
また、指針３を照明する照明装置としての指針照明用ＬＥＤ２８は、指針３の裏側に配置されている。指針照明用ＬＥＤ２８は、第３の回路基板２９に固定されている。第３の回路基板２９は文字盤用ハウジング２３に固定されている。第３の回路基板２９には、図示しないが、照明制御部としてのＩＣチップが設けられている。
【００４１】
スモークレンズ２１は、ベゼル１２に固定されている。スモークレンズ２１は透過率を低く設定されており、文字盤１のＬＥＤ２４および指針３のＬＥＤ２８の点灯時には、その文字盤１の文字やマーク２、目盛り４、ならびに指針３が視認され、それらの消灯時には文字盤１の文字やマーク２、目盛り４、ならびに指針３が視認されないように文字盤１の全体がブラックフェースとなるように上記透過率が設定されている。なお、デザインの観点からスモークレンズ２１を省略することもできる。
【００４２】
ベゼル１２は、図３、５に示すように、ベゼル用ハウジング３０と、結合部３１を介して、結合されている。ベゼル用ハウジング３０は、ロータリースイッチ３２と接続されている。ベゼル１２が回ることで、ベゼル用ハウジング３０を介して、ロータリースイッチ３２の切り替えが行われるようになっている。
【００４３】
ロータリースイッチ３２は、ロータリースイッチ用の第４の回路基板３３上に配置されている。第４の回路基板３３には、図示しないが、ベゼル１２の位置を読み込むＩＣチップが設けられている。ロータリースイッチ３２としては、コードスイッチなどの絶対位置信号出力スイッチを用いることができる。
【００４４】
また、図示しないが、操作ボタン１３は、操作ボタン照明用ＬＥＤによって、点灯および点滅するようになっている。
【００４５】
次に、本実施形態の指針式表示装置の電気的構成を説明する。図６に、指針式表示装置の構成のブロック図を示す。
【００４６】
上記したように、本実施形態の指針式表示装置は、文字盤１、指針３、ステッパモータ２６、文字盤照明用ＬＥＤ２４、指針照明用ＬＥＤ２８、操作ボタン１３、操作ボタン照明用ＬＥＤ、ベゼル１２、ロータリースイッチ３２等の読み込みスイッチ５９を備えている。なお、読み込みスイッチ５９は、操作ボタン１３から信号も読み込むようになっている。
【００４７】
その他に、この指針式表示装置は、駆動制御部５１、駆動信号制御部５２、空調信号制御部５３、照明制御部５４を有している。なお、駆動制御部５１は、上記した第２の回路基板２７上に設けられたＩＣチップである。駆動信号制御部５２、空調信号制御部５３は、上記した第４の回路基板３３上に設けられたＩＣチップである。照明制御部５４は、上記した第１の回路基板２５、第３の回路基板２９上に設けられたＩＣチップである。
【００４８】
駆動制御部５１は、指針３が所定の文字やイラスト２を指し示すように、ステッパモータ２６を制御するものである。駆動制御部５１は、駆動信号制御部５２から入力された駆動信号に基づいて、ステッパモータ２６に対して駆動指示信号を出力するようになっている。
【００４９】
駆動信号制御部５２は、駆動制御部５１を作動させるか否かの制御を行うところである。駆動信号制御部５２は、空調信号制御部５３および車両に別途搭載されている車両信号制御部５５から入力された信号に基づいて、駆動制御部５１に対して駆動信号を出力するようになっている。このときの車両信号制御部５５から入力される信号とは、例えば、ＩＧスイッチがオンであるか否かの信号である。
【００５０】
また、駆動信号制御部５２は、照明制御部５４に対して、文字盤照明用ＬＥＤ２４、指針照明用ＬＥＤ２８や、操作ボタン用ＬＥＤ等の照明装置の点灯、消灯もしくは点滅を指示する旨の信号を出力するようになっている。
【００５１】
空調信号制御部５３は、ロータリースイッチ３２から入力された信号に基づき、車両に搭載されたエアコンシステム５７を制御する空調制御部５８に対して、所定の制御を行うように、空調信号を出力するものである。なお、エアコンシステム５７は、各種センサ、ブロアモータ、コンプレッサ、ポテンシォメータ等を備えている。
【００５２】
また、空調信号制御部５３は、ロータリースイッチ３２から入力された信号に基づき、指針３を駆動させるため、駆動信号制御部５２に対して、制御信号を出力するようになっている。
【００５３】
また、空調信号制御部５３は、空調制御部５８から制御信号が入力されるようになっている。これは、空調制御部５８が自動でエアコンシステム５７を制御している場合や、後述するダイアグノーシス機能時に、その制御に応じて、指針３を駆動させるためである。なお、空調信号制御部５３は、ロータリースイッチ３２から信号が入力された場合、その信号を、空調制御部５８から入力された制御信号よりも、優先するようになっている。
【００５４】
空調制御部５８は、エアコンシステム５７の制御の他に、後述するダイアグノーシス処理を実行するようになっている。空調制御部５８は、エアコンシステム５７や空調信号制御部５３に対して、指示信号を出力することで、ダイアグノーシス処理を実行する。なお、空調制御部５８は、エアコンシステムの各センサと信号の送受信をしており、各センサに異常が生じている場合、故障と判断しその旨を、図示しない記憶部に記憶している。
【００５５】
また、空調制御部５８は、車両信号制御部５５から信号が入力されるようになっている。例えば、ＩＧスイッチ（Ｉ／Ｇ）がオンであるか否かの信号が入力されるようになっている。
【００５６】
照明制御部５４は、文字盤照明用ＬＥＤ２４、指針照明用ＬＥＤ２８および図示しない操作ボタン照明用ＬＥＤの作動を制御するものである。車両信号制御部５５もしくは駆動信号制御部５２から入力された信号に基づいて、文字盤照明用ＬＥＤ２４、指針照明用ＬＥＤ２８に対して、作動指示信号を出力するようになっている。このときの車両信号制御部５５から入力される信号とは、例えば、インストルメントパネルの照明がどれくらいの明るさであるかの信号である。
【００５７】
次に、このように構成された指針式表示装置の基本作動について説明する。以下では、図２に示すように、ユーザが送風ファン速度を「ＯＦＦ」から「ＬＯ」に切り替える操作をする場合を例として説明する。
【００５８】
ユーザは、送風ファン速度を表示器１１ａのベゼル１２を、図２中の実線で示す矢印のように、時計回りの方向、すなわち、右方向に６０°回転させる。これにより、ロータリースイッチ３２が切り替わり、図６に示すように、空調信号制御部５３に、ロータリースイッチ３２から送風ファン速度を「ＬＯ」にする旨の信号が入力される。
【００５９】
この信号を受けて、空調信号制御部５３は、空調制御部５８に対して、「ＬＯ」で作動する旨の空調信号を出力する。これにより、エアコンシステム５７は、空調制御部５８に制御され、送風ファン速度を「ＬＯ」とする。
【００６０】
また、このとき、空調信号制御部５３は、駆動信号制御部５２に対して、指針３が「ＬＯ」を指し示すように、制御信号を出力する。
【００６１】
そして、駆動信号制御部５２は、この制御信号を受けた後、車両信号制御部５５から入力された信号に基づいて、駆動制御部５１を駆動させてもよいか否かを判定する。その結果、駆動信号制御部５２が駆動制御部５１を駆動させても良いと判定した場合に、駆動信号制御部５２は、駆動制御部５１に対して、指針３が「ＬＯ」を指し示すように、駆動信号を出力する。
【００６２】
駆動制御部５１は、この駆動信号を受けて、ステッパモータ２６に駆動指示信号を出力する。これにより、ステッパモータ２６を介して、指針３が駆動し、指針３が「ＬＯ」を指し示す。このようにして、送風ファン速度が「ＯＦＦ」から「ＬＯ」に切り替えられる。
【００６３】
次に、空調制御部５８および指針式表示装置の各制御部５１、５２、５３が実行するダイアグノーシス処理について説明する。
【００６４】
図７、８、９に、空調制御部５８および指針式表示装置の各制御部５１、５２、５３が実行するダイアグノーシス処理のフローチャートを示す。また、図１０、１１、１２に、ダイアグノーシス機能時における指針３の位置を説明するための図を示す。
【００６５】
図７に示すように、まず、ステップ６１では、空調制御部５８は、ＩＧスイッチ（Ｉ／Ｇ）がＯＮである旨の信号が車両信号制御部５５から入力されたとき、読み込みＳＷ５９、空調信号制御部５３を介して、操作ボタン１３のうちのＡＵＴＯボタン１３ａ、内外気ボタン１３ｄからの信号が入力されたか否かを判定する。  
【００６６】
そして、Ｉ／ＧがＯＮの信号と、ＡＵＴＯボタン１３ａおよび内外気ボタン１３ｄからの信号とが同時に入力された（ＹＥＳ）と判定された場合、ステップ６２に進み、ダイアグノーシス処理が実行される。一方、これらの信号が同時に入力されなかった（ＮＯ）と判定された場合、ダイアグノーシス処理は行われず、通常の空調制御が実行される。  
【００６７】
したがって、ユーザがＡＵＴＯボタン１３ａと内外気ボタン１３ｄを同時に押しながら、Ｉ／ＧをＯＦＦからＯＮにすると、空調制御部５８はダイアグノーシスモードに遷移する。  
【００６８】
そして、ステップ６２では、まず、空調制御部５８および指針式表示装置の各制御部５１、５２、５３によって、インジケータチェック処理が実行される。
【００６９】
具体的には、空調制御部５８は、エアコンパネルのインジケータ、すなわち、操作ボタン１３の照明を点灯させる旨の信号を空調信号制御部５３に出力する。この信号が本発明の制御指示信号に相当する。そして、空調信号制御部５３から駆動信号制御部５２に制御信号が出力される。この制御信号を受けて、駆動信号制御部５２は、ステップ７１、７２を同時期もしくはステップ７１、ステップ７２の順に実行する。
【００７０】
ステップ７１では、駆動信号制御部５２が、駆動制御部５１に対して、すべての指針（ポインタ）３を、インジケータチェック中を示す位置とする旨の駆動信号を出力する。インジケータチェック中を示す位置は、例えば、一番右端の目盛り４の位置、すなわち、ＭＡＸの位置である。
【００７１】
そして、駆動制御部５１は、その駆動信号を受けて、ステッパモータ２６に駆動指示信号を出力する。ステッパモータ２６は、その駆動指示信号を受けて、図１０に示すように、各表示器１１ａ、１１ｂ、１１ｃのすべての指針（ポインタ）３を、ゼロ点の位置から、例えば、ＭＡＸの位置に移動させる。
【００７２】
一方、ステップ７２では、駆動信号制御部５２は、照明制御部５４に、すべてのインジケータの照明を点滅させる旨の信号を出力する。照明制御部５４は、その信号を受けて、すべてのインジケータを点滅させる。
【００７３】
このため、図１０に示すように、すべての指針３がＭＡＸの位置とされた後、すべてのインジケータが点滅する。これにより、すべての指針３がＭＡＸの位置であることから、ユーザは、インジケータチェック中であると認識し、点滅しないインジケータがあるかをチェックする。
【００７４】
ステップ６２の後、ステップ６３では、空調制御部５８が、空調信号制御部５３を介して、ＯＦＦボタン信号が入力されたか否かを判定する。ＯＦＦボタンとは、例えば、リヤＤＥＦボタン１３ｃであり、ユーザがリヤＤＥＦボタン１３ｃを押した場合に、ＯＦＦボタン信号が、読み込みスイッチ３２、空調信号制御部５３を介して、空調制御部５８に入力される。
【００７５】
この信号が入力された（ＹＥＳ）と判定された場合、ダイアグノーシス処理は終了し、空調制御部５８は通常の空調制御状態となる。一方、ＯＦＦボタン信号が入力されていない（ＮＯ）と判定された場合、ステップ６４に進む。
【００７６】
ステップ６４では、空調制御部５８が、内外気ボタン１３ｄの受付の有無を判定する。すなわち、空調信号制御部５３を介して、内外気ボタン１３ｄからの信号が入力されたか否かを判定する。内外気ボタン１３ｄからの信号が入力された（ＹＥＳ）と判定された場合、ステップ６５で、空調制御部５８はセンサチェック状態に遷移する。一方、入力されていない（ＮＯ）と判定された場合、ステップ６２に戻る。
【００７７】
ステップ６５では、空調制御部５８および指針式表示装置の各制御部５１、５２、５３によって、センサチェック処理が実行される。具体的には、図８に示すように、ステップ８１で、空調制御部５８がエアコンシステム５７の各センサの故障コード信号を、空調信号制御部５３に向けて出力する。
【００７８】
これは、空調制御部５８は、通常の空調制御状態時において、各センサとの信号の送受信からセンサに異常が生じていた場合、その旨を記憶部に記憶しているので、センサチェック機能時では、空調制御部５８が故障の有無を記憶部から読出し、過去において、センサに故障があった場合、その故障コード信号を出力する。一方、センサに故障がなかった場合、その旨のコード信号を出力する。
【００７９】
なお、このとき、過去における各センサの故障の有無だけでなく、現時点における各センサの故障の有無を診断させることもできる。例えば、センサチェック機能時に、空調制御部５８とエアコンシステム５７の各センサとの間で、信号の送受信を行わせることで、空調制御部５８に各センサの故障の有無を診断させる。そして、センサに故障があれば、その故障コード信号を出力させる。
【００８０】
ステップ８２では、駆動信号制御部５２に、空調信号制御部５３を介して、空調制御部５８から故障コード信号が入力される。
【００８１】
続いて、ステップ８３では、駆動信号制御部５２は、その故障コード信号に対応する指針（ポインタ）３の制御位置を決定し、その位置に指針３を移動させるように、駆動制御部５１に駆動信号を出力する。
【００８２】
そして、ステップ８４では、駆動制御部５１が、その駆動信号を受けて、ステッパモータ２６を駆動させることで、それぞれの指針（ポインタ）３が故障コードに対応した位置に移動する。各指針３の位置としては、例えば、図１１に示すように、送風ファン速度の表示器１１ａでは「ＬＯ」、吹き出しモードの表示器１１ｂでは「Ｂ／Ｌ」、温度の表示器１１ｃでは「３２℃（ＭＡＸ）」の位置とすることができる。
【００８３】
これにより、センサチェック機能時では、各センサに故障があれば、各指針３の位置によって、故障コードが表示される。
【００８４】
続いて、ステップ８５では、空調制御部５８は、送風ファン速度の表示器１１ａのベゼル１２の受付の有無を判定する。すなわち、空調制御部５８は、空調信号制御部５３を介して、送風ファン速度の表示器１１ａのベゼル１２から切替信号が入力されたか否かの判定を行う。そして、このベゼル１２から切替信号が入力された（ＹＥＳ）と判定された場合、ステップ８６に進む。
【００８５】
ステップ８６では、空調制御部５８は、先回表示した故障と異なる故障の有無を判定する。すなわち、ステップ８４で、表示した故障以外に他の故障があるか否かを判定する。そして、他の故障がある（ＹＥＳ）と判定された場合、ステップ８１に戻り、空調制御部５８は、他の故障コード信号を出力し、再度、ステップ８２〜８４が実行される。
【００８６】
これにより、ユーザが送風ファン速度の表示器１１ａのベゼル１２を回す毎に、次の故障コードが表示される。なお、センサの故障が複数なければ、故障コードは切り替わらないので、ベゼル１２を回しても、故障コードが切り替わらない場合、他の故障は無いことを意味する。
【００８７】
一方、ステップ８５で、入力されなかった（ＮＯ）と判定された場合や、ステップ８６で、他の故障が無い（ＮＯ）と判定された場合、ステップ６６に進む。このようにして、ステップ６５が実行される。
【００８８】
図７に示すように、ステップ６５の後、ステップ６６では、ステップ６３と同様に、空調制御部５８が、空調信号制御部５３を介して、ＯＦＦボタン信号が入力されたか否かを判定する。この信号が入力された（ＹＥＳ）と判定された場合、ダイアグノーシス処理は終了し、空調制御部５８は通常の空調制御状態となる。一方、ＯＦＦボタン信号が入力されていない（ＮＯ）と判定された場合、ステップ６７に進む。
【００８９】
ステップ６７では、ステップ６４と同様に、空調制御部５８が、内外気ボタン１３ｄの受付の有無を判定する。内外気ボタン１３ｄからの信号が入力された（ＹＥＳ）と判定された場合、ステップ６８で、空調制御部５８はアクチュエータチェック状態に遷移する。一方、入力されていない（ＮＯ）と判定された場合、ステップ６５に戻る。
【００９０】
ステップ６８では、空調制御部５８および指針式表示装置の各制御部５１、５２、５３によって、アクチュエータチェック処理が実行される。
【００９１】
具体的には、図９に示すように、ステップ９１では、空調制御部５８が、エアコンシステム５７のブロアモータ、コンプレッサ等の各アクチュエータに対して、所定パターンで作動させるための信号を出力する。各アクチュエータは、この信号を受けて、所定パターンで作動する。
【００９２】
また、空調制御部５８は、空調信号制御部５３に対して、アクチュエータの出力状態コード信号を出力する。
【００９３】
続いて、ステップ９２では、駆動信号制御部５２に、空調信号制御部５３を介して、空調制御部５８から出力状態コード信号が入力される。
【００９４】
続いて、ステップ９３では、駆動信号制御部５２は、その出力状態コード信号に対応する指針（ポインタ）３の制御位置を決定し、その位置に指針（ポインタ）３を移動させるように、駆動制御部５１に駆動信号を出力する。
【００９５】
そして、ステップ９４では、駆動制御部５１が、その駆動信号を受けて、ステッパモータ２６を駆動させることで、それぞれの指針３が出力状態コードに対応した位置に移動する。各指針３の位置としては、出力状態が、例えば、ブロアレベル０、コンプレッサＯＦＦ、吹出口開度：９％、吸込口：０％、ＦｒＡ／Ｍダンパ：９％、ＲｒＡ／Ｍダンパ：０％となる出力状態（出力モード１番）の場合、図１２に示すように、送風ファン速度の表示器１１ａでは「ＬＯ」、吹き出しモードの表示器１１ｂでは「ゼロ」、温度の表示器１１ｃでは「３２℃（ＭＡＸ）」の位置とすることができる。
【００９６】
これにより、アクチュエータチェック時では、ユーザは、指針３の位置から各アクチュエータの設定出力状態を認識し、その設定通りに、各アクチュエータが作動しているかをチェックすることができる。
【００９７】
続いて、ステップ９５では、空調制御部５８は、送風ファン速度の表示器１１ａのベゼル１２の受付の有無を判定する。すなわち、空調制御部５８は、空調信号制御部５３を介して、送風ファン速度の表示器１１ａのベゼル１２から切替信号が入力されたか否かの判定を行う。そして、このベゼル１２から切替信号が入力された（ＹＥＳ）と判定された場合、ステップ９６に進む。
【００９８】
ステップ９６では、空調制御部５８は、次の出力モードに遷移し、ステップ９１に戻る。ステップ９１では、再度、各アクチュエータに対して、所定パターンで作動させるための信号を出力する。各アクチュエータは、この信号を受けて、次の出力モードで作動する。そして、再度、ステップ９２〜９５が実行される。
【００９９】
これにより、ユーザが送風ファン速度の表示器１１ａのベゼル１２を回す毎に、次の出力状態コードが表示され、ユーザは次の出力モードで、各アクチュエータが正常に作動しているかをチェックすることができる。
【０１００】
一方、ステップ９５で、ベゼル１２から切替信号が入力されなかった（ＮＯ）と判定された場合、ステップ９７に進む。
【０１０１】
ステップ９７では、ステップ６４と同様に、空調制御部５８が、内外気ボタン１３ｄの受付の有無を判定する。内外気ボタン１３ｄからの信号が入力された（ＹＥＳ）と判定された場合、ステップ９１に戻り、アクチュエータチェック処理が始めから実行される。
【０１０２】
これにより、ユーザが送風ファン速度の表示器１１ａのベゼル１２を回す毎に、次のアクチュエータチェックの出力状態に順に遷移するが、ユーザが最初の出力状態からチェックし直したい場合、ユーザは、内外気ボタン１３ｄを押すことで、最初の出力状態に戻すことができる。
【０１０３】
一方、ステップ９７で、内外気ボタン１３ｄからの信号が入力されていない（ＮＯ）と判定された場合、ステップ６８が終了し、ステップ６９に進む。  
【０１０４】
図７に示すように、ステップ６９では、ステップ６３と同様に、空調制御部５８が、空調信号制御部５３を介して、ＯＦＦボタン信号が入力されたか否かを判定する。ＯＦＦボタン信号が入力されていない（ＮＯ）と判定された場合、ステップ６５に戻る。
【０１０５】
したがって、本実施形態では、ユーザがＯＦＦボタンを押さない限り、アクチュエータチェック機能が終わるとセンサチェック機能に戻り、センサチェック機能とアクチュエータチェック機能とが交互に行われるようになっている。
【０１０６】
一方、ＯＦＦボタン信号が入力された（ＹＥＳ）と判定された場合、ダイアグノーシス処理は終了し、空調制御部５８は通常の空調制御状態となる。
【０１０７】
このようにして、空調制御部５８および指針式表示装置の各制御部５１、５２、５３は、ダイアグノーシス処理を実行する。
【０１０８】
次に、本実施形態の主な特徴を説明する。
【０１０９】
上記したように、本実施形態では、空調制御部５８および指針式表示装置の各制御部５１、５２、５３が実行するダイアグノーシス処理において、例えば、ステップ６２のインジケータチェック時では、インジケータを点滅させる場合、空調制御部５８は、空調信号制御部５３に対して、制御指示信号を出力する。
【０１１０】
これにより、空調信号制御部５３から駆動信号制御部５２、照明制御部５４へと順に信号を送信される他に、ステップ７１で、駆動信号制御部５２から、駆動制御部５１に対して、すべての指針３を、インジケータチェック中を示す位置とする旨の駆動信号が出力されるようになっている。
【０１１１】
すなわち、空調制御部５８がインジケータチェックを行う場合、空調信号制御部５３、駆動信号制御部５２、駆動制御部５１が、すべての指針３を、インジケータチェック中である旨を示す位置に移動させる制御を行うようになっている。
【０１１２】
このため、インジケータチェック中では、例えば、図１０に示すように、各表示器１１ａ、１１ｂ、１１ｃのすべての指針３を、ゼロ点の位置から、ＭＡＸの位置に移動する。
【０１１３】
このように、本実施形態では、各指針３の表示位置により、インジケータチェック中であるというダイアグノーシスの状態コードの表示を行うようにしている。これにより、セグメントを用いなくても、空調制御部５８の制御状態がインジケータチェック中であることを、ユーザに対して、目視で直接認識させることができる。
【０１１４】
同様に、ステップ６５のセンサチェック時では、ステップ８１で、空調制御部５８がエアコンシステム５７の各センサの故障コード信号を、空調信号制御部５３に向けて出力している。
【０１１５】
そして、ステップ８２で、駆動信号制御部５２に、空調信号制御部５３を介して、空調制御部５８から故障コード信号が入力され、ステップ８３で、駆動信号制御部５２は、その故障コード信号に対応する指針３の位置を決定し、その位置に指針３を移動させるように、駆動制御部５１に駆動信号を出力する。続いて、ステップ８４で、駆動制御部５１が、その駆動信号を受けて、ステッパモータ２６を駆動させることで、それぞれの指針３が故障コードに対応した位置に移動するようになっている。
【０１１６】
このように、本実施形態では、センサチェック時に、３つの表示器１１ａ、１１ｂ、１１ｃのそれぞれの指針３の表示位置の組み合わせにより、故障コードを表示するようにしている。これにより、セグメントを用いなくても、故障コードを、ユーザに対して、目視で直接認識させることができる。
【０１１７】
また、ステップ６８のアクチュエータチェック時では、ステップ９１で、空調制御部５８が、空調信号制御部５３に対して、アクチュエータの出力状態コード信号を出力する。      
【０１１８】
続いて、ステップ９２で、駆動信号制御部５２に、空調信号制御部５３を介して、空調制御部５８から出力状態コード信号が入力される。
【０１１９】
そして、ステップ９３では、駆動信号制御部５２が、その出力状態コード信号に対応する指針３の位置を決定し、その位置に指針３を移動させるように、駆動制御部５１に駆動信号を出力する。そして、ステップ９４で、駆動制御部５１が、その駆動信号を受けて、ステッパモータ２６を駆動させることで、それぞれの指針３が出力状態コードに対応した位置に移動するようになっている。
【０１２０】
このように、本実施形態では、アクチュエータチェック時に、３つの表示器１１ａ、１１ｂ、１１ｃのそれぞれの指針３の表示位置の組み合わせにより、アクチュエータの出力状態コードを表示するようにしている。これにより、セグメントを用いなくても、出力状態コードを、ユーザに対して、目視で直接認識させることができる。
【０１２１】
（他の実施形態）
（１）上記した実施形態では、インジケータチェック中のコード表示として、すべての指針３を、ＭＡＸ（一番右端）の位置とする場合を例として説明したが、すべての指針３の位置が同じ位置であれば、他の位置とすることもできる。また、各指針３の位置を異ならせ、指針３の位置を組み合わせることもできる。
【０１２２】
（２）複数の指針を組み合わせる場合を例として説明したが、１つの指針で表示することもできる。この場合、指針３が所定の文字やイラスト２、目盛り４のいずれか１つを指し示すとき、所定の故障コード等を意味する。
【０１２３】
（３）上記した各実施形態では、駆動制御部５１と駆動信号制御部５２と空調信号制御部５３とを別々の制御部とする場合を例として説明したが、駆動制御部５１と駆動信号制御部５２と空調信号制御部５３を１つの制御部としたり、これらのうちの２つの制御部を１つの制御部としたりすることもできる。
【０１２４】
（４）上記した各実施形態では、リング状のベゼル１２の内側に、文字盤１や指針３からなる表示器１１が配置されている場合を例として説明したが、この場合に限らず、表示器１１とダイアルノブ１２との配置を変更することもできる。例えば、操作スイッチと、文字盤１および指針３とが離間して配置された指針式表示装置に、本発明を適用することもできる。
【０１２５】
（５）上記した各実施形態では、本発明を車両のエアコンパネルに適用した場合を例として説明したが、オーディオ、カメラ等の他の技術分野における操作パネルに対して本発明を適用することもできる。この場合、操作対象がオーディオ、カメラ等となる。
【図面の簡単な説明】
【０１２６】
【図１】本発明の第１実施形態における指針式表示装置の正面図である。
【図２】図１に示す指針式表示装置において、ベゼル１２の動きと指針３の動きとを説明するための図である。
【図３】図１中のＡ−Ａ線断面図である。
【図４】図１中のＢ−Ｂ線断面図である。
【図５】図１中のＣ−Ｃ線断面図である。
【図６】本発明の第１実施形態における指針式表示装置の構成を示すブロック図である。
【図７】図６中の空調制御部５８および指針式表示装置の各制御部５１、５２、５３が実行するダイアグノーシス処理のフローチャートである。
【図８】図７のフローチャートの一部を詳細に説明するための図である。
【図９】図７のフローチャートの一部を詳細に説明するための図である。
【図１０】ダイアグノーシス処理が実行されている場合の指針式表示装置の正面図である。
【図１１】ダイアグノーシス処理が実行されている場合の指針式表示装置の正面図である。
【図１２】ダイアグノーシス処理が実行されている場合の指針式表示装置の正面図である。
【符号の説明】
【０１２７】
１…文字盤、２…文字やイラスト、３…指針、４…目盛り、
１１…表示器、１２…ベゼルダイアルノブ、１３…操作ボタン、１４…カバー、
２１…スモークレンズ、２２…導光レンズ、２３…文字盤用ハウジング、
２４…文字盤照明用ＬＥＤ、２５…第１の回路基板、２６…ステッパモータ、
２７…第２の回路基板、２８…指針照明用ＬＥＤ、２９…第３の回路基板、
３０…ベゼル用ハウジング、３１…結合部、３２…ロータリースイッチ、
３３…第４の回路基板。
【図１】
2006232128.tif 000003
【図２】
2006232128.tif 000004
【図３】
2006232128.tif 000005
【図４】
2006232128.tif 000006
【図５】
2006232128.tif 000007
【図６】
2006232128.tif 000008
【図７】
2006232128.tif 000009
【図８】
2006232128.tif 000010
【図９】
2006232128.tif 000011
【図１０】
2006232128.tif 000012
【図１１】
2006232128.tif 000013
【図１２】
2006232128.tif 000014